(57)【要約】【課題】高さをより低くすることで安定性を向上させると共に、低い収納空間でもダストボックスを変更することなく対応できるようにしたダストボックスワゴンを提供する。【解決手段】複数個のダストボックスＤを受容し得る上方が開放した枠状のワゴンフレームと、ワゴンフレームの四隅の下方にそれぞれ取り付けたキャスター２０と、から構成したダストボックスワゴン１０であって、ダストボックスＤの底面がキャスター２０の高さよりも低い位置となるように、ワゴンフレームがダストボックスを支持している。ワゴンフレームが、ダストボックスＤの底面を支持する少なくとも一本の底部支持フレーム１５を備えている。【選択図】図２
2008029643.tif 000002
【特許請求の範囲】
【請求項１】
複数個のダストボックスを受容し得る上方が開放した枠状のワゴンフレームと、このワゴンフレームの四隅の下方にそれぞれ取り付けられたキャスターと、から構成されたダストボックスワゴンであって、
上記ダストボックスの底面が上記キャスターの高さよりも低い位置となるように、上記ワゴンフレームが上記ダストボックスを支持していることを特徴とする、ダストボックスワゴン。
【請求項２】
前記ワゴンフレームが、前記ダストボックスの底面を支持する少なくとも一本の底部支持フレームを備えていることを特徴とする、請求項１に記載のダストボックスワゴン。
【請求項３】
キャビネットの収納部に収納する際のガイドを備えていることを特徴とする、請求項１又は２に記載のダストボックスワゴン。
【請求項４】
前記ガイドにクッション材が取り付けられていることを特徴とする、請求項３に記載のダストボックスワゴン。
【発明の詳細な説明】
【技術分野】
【０００１】
本発明は、例えばシステムキッチン等で使用されるダストボックスワゴンに係り、特に家電収納キャビネット等の下方に出し入れ自在に配置されるダストボックスワゴンに関する。
【背景技術】
【０００２】
従来、キッチンの多様化，高級化に伴って、電子レンジ等の家電製品を収容するための家電収納キャビネットや、食器，食品等を収納する各種ストッカー、あるいはこれらの家電収納キャビネットやストッカーを一体化したシステムキッチンが使用されるようになってきている。そして、この種の家電収納キャビネット等の中には、その下方のスペースを、ダストボックスワゴンなどを収容する場所として利用したものが知られている。
【０００３】
このようなダストボックスワゴンは、キャビネットやストッカーの下部に対して、出し入れ可能に収納されるようになっており、さらに、例えばビンやカン，包装材等の各種ゴミを分別して収容するように複数個のダストボックスを保持できる。
【０００４】
特許文献１にはこの種のダストボックスワゴンが開示されており、ワゴンフレーム内に複数個のダストボックスがセットされると共に、底部に設けたキャスターの回転により、全体がキャビネットの収納部内に出し入れ可能に構成されている。
【０００５】
このような構成のダストボックスワゴンによれば、使用時にはダストボックスワゴンをキャビネットの収納部から引き出して所望のダストボックスを開放し、このダストボックス内にゴミを投入する。その後、当該ダストボックスを閉鎖してから、ダストボックスワゴンをキャビネットの収納部に収容する。
【特許文献１】特開２０００−３４４１０９号公報
【発明の開示】
【発明が解決しようとする課題】
【０００６】
ところで、このようなダストボックスワゴンにあっては、キャスターはそのワゴンフレームの底部から下方に突出するように取り付けられている。このため、ワゴンフレームの下方には床面との間に比較的広い空間が生ずることになる。従って、ダストボックスワゴン全体が比較的高くなってしまい、重心が高いと、移動の際の安定性が十分に確保できなくなる。
【０００７】
これに対して、近年、家電収納キャビネットも、家電機器の収容空間を十分に確保する観点から、その下方に位置するダストボックスワゴンの収容部の高さが比較的低いものが採用されるようになってきている。しかしながら、前述した特許文献１によるダストボックスワゴンは、その高さが５０ｃｍ以上と高いことから、このような要求に対応することは困難である。これに対して、高さの低いダストボックスを使用することも可能ではあるが、専用のダストボックスが必要となり、コストが嵩んでしまう。
【０００８】
本発明は、以上の点に鑑み、簡単な構成により高さをより低くすることで安定性を向上させると共に、低い収納空間でもダストボックスを変更することなく対応できるようにしたダストボックスワゴンを提供することを目的としている。
【課題を解決するための手段】
【０００９】
上記目的を達成するために、本発明は、複数個のダストボックスを受容し得る上方が開放した枠状のワゴンフレームとこのワゴンフレームの四隅の下方にそれぞれ取り付けられたキャスターとから構成されたダストボックスワゴンであって、ダストボックスの底面が上記キャスターの高さよりも低い位置となるように、ワゴンフレームがダストボックスを支持していることを特徴としている。
本発明のダストボックスワゴンにおいて、好ましくは、ワゴンフレームがダストボックスの底面を支持する少なくとも一本の底部支持フレームを備えている。
本発明のダストボックスワゴンは、キャビネットの収納部に収納する際のガイドを備え、さらに、ガイドにクッション材が取り付けられていることが望ましい。
【発明の効果】
【００１０】
上記構成によれば、ワゴンフレーム内に収容された各ダストボックス等の底面が、キャスターの高さよりも低い位置で、ワゴンフレームの例えば底部支持フレームにより支持されることになる。従って、ダストボックスワゴン全体の高さがより低くなる。これにより、ダストボックス全体の重心がより低くなるので、キャスターを利用した移動の際にも安定性が向上する。また、このダストボックスワゴンを収納するキャビネットの収納部の高さも低く抑えることができ、家電機器の収容空間を十分に確保することも可能になる。
【発明を実施するための最良の形態】
【００１１】
以下、図面に示した実施形態に基づいて本発明を詳細に説明する。なお、図中のＦｒはワゴン前方を、Ｗは幅方向を、Ｕｐは上方を示す。
図１〜図３は、本発明によるダストボックスワゴンの一実施形態の構成を示している。これらの図において、ダストボックスワゴン１０は、上方が開放した枠状のワゴンフレーム１１と、このワゴンフレーム１１の四隅の下方にそれぞれ取り付けられたキャスター２０（図２及び図３参照）と、から構成されている。
【００１２】
ワゴンフレーム１１は、図４の斜視図に示すように、それぞれ下方が開放した前後のコ字状フレーム１２，１２と、双方のコ字状フレーム１２の脚部１２ａを前後方向に互いに連結する複数本、図示の場合、二本の前後フレーム１４，１４と、これらの前後フレーム１４，１４のうち、一番下の前後フレーム１４ａ，１４ａを横方向に関して互いに連結する複数本、図示の場合、二本の左右フレーム１３，１３及び複数本（図示の場合、二本）の底部支持フレーム１５，１５と、から構成されている。
【００１３】
コ字状フレーム１２，１２は、例えばパイプ等から構成されており、下方が開放するように折曲加工により形成されている。左右フレーム１３は、例えば丸棒，パイプ等から構成されており、図示の場合、前後フレーム１４ａ，１４ａの前後端付近に対して溶接等により接続されることで、前後フレーム１４ａ，１４ａを介してコ字状フレーム１２，１２の脚部１２ａに対して連結されている。
【００１４】
ここで、前後フレーム１４のうち、一番下の前後フレーム１４ａ，１４ａは、ダストボックスワゴン１０をキャビネットの収納部に収納する際のガイドとして細長い平板から構成されており、図１の平面図に示すように、前方から後方に向かって双方の前後フレーム１４ａ，１４ａの相互の間隔が徐々に狭くなるよう、斜めに真っ直ぐ延びるように形成されている。前後フレーム１４ａ，１４ａの相互の間隔を徐々に狭めて形成することによって、キャビネットの収納部への収納操作が容易になる。さらに、これらの前後フレーム１４ａ，１４ａは、好ましくは、その前面及び両サイドの外側にゴム等のクッション材１７を備えている（図４参照）。これにより、前後フレーム１４ａ，１４ａの動作中に、誤ってキャビネットに衝接したり収納部壁面に接触したりしても、クッション材１７によってキャビネットが傷付くのを防止できる。
【００１５】
また、他の前後フレーム１４，１４は、ダストボックスＤを左右から規制するように、上述した一番下の前後フレーム１４ａ，１４ａより横方向内側に配置され、あるいは一番下の前後フレーム１４ａ，１４ａと同様に形成されている。ここで、他の前後フレーム１４，１４は、ダストボックスＤを左右から確実に規制するように、ダストボックスの形状に従って左右外側に向かって凸状に形成されている。
【００１６】
底部支持フレーム１５，１５は、例えば鉄製の丸棒等から構成されており、水平に延びる中央部分１５ａの両端が上方に折曲げられ、さらに外側に向かって折曲げられた後、先端が一番下の前後フレーム１４ａ，１４ａに対してほぼ垂直に溶接等により接続されている。
【００１７】
その際、底部支持フレーム１５，１５は、垂直に延びる垂直部分１５ｂの長さにより中央部分の高さが調整されると共に、この垂直部分１５ｂの左右方向の位置によりダストボックスＤを受容する部分の横幅が調整され、他の前後フレーム１４の相互間隔と整合するようになっている。
【００１８】
とくに、本実施形態におけるダストボックスワゴン１０では、底部支持フレーム１５の垂直部分１５ｂの長さを調整することにより、底部支持フレーム１５の中央部分１５ａが、後述するキャスター２０の下端、即ち床面から僅かな距離を有するようになっている。具体的には、図３に示すように、ダストボックスの底面と床面との距離、即ちダストボックスの底面を支持する底部支持フレーム１５の中央部分１５ａと床面との距離ｈが、キャスター２０が取り付けられるワゴンフレーム１１の端部と床面までの高さ距離Ｈより短くなるように設定されており、中央部分１５ａがキャスター２０の上端、即ち車輪の高さ位置よりも下方に位置するように、底部支持フレーム１５の垂直部分１５ｂの長さが調整されている。
【００１９】
これにより、ワゴンフレーム１１はその上方が開放するように構成されており、上方から複数個、図示の場合、三個のダストボックスＤがワゴンフレーム１１内に収容され得るようになっている。そして、ワゴンフレーム１１内に収容された各ダストボックスＤは、それぞれその底面が底部支持フレーム１５，１５により、キャスター２０よりも低い位置となるように支持されると共に、左右が前後フレーム１４，１４及び底部支持フレーム１５，１５の垂直部分１５ｂにより、また前後が左右フレーム１３，１３により包囲され、位置決めされる。ここで、ダストボックスＤは、図示の場合、ワゴンフレーム１１内に三個収容されており、ゴミを分別してそれぞれ対応するダストボックスＤに投入するようになっている。
【００２０】
キャスター２０は、取付軸に対して偏心して揺動可能な車輪を有する、市販のいわゆる自在キャスターであって、それぞれコ字状フレーム１２の各脚部１２ａの下端に対して取り付けられている。
【００２１】
本実施形態によるダストボックスワゴン１０は以上のように構成されており、不使用時には、ワゴンフレーム１１内に三つのダストボックスＤを収容した状態で、キャビネットの収納部に収納されている。そして、ダストボックスＤ内にゴミを投入したい場合には、まずダストボックスワゴン１０をキャビネットの収納部から引き出して、所望のダストボックスＤの蓋を開けて中にゴミを投入する。
【００２２】
その後、ダストボックスワゴン１０をキャビネットの収納部内に押し込む。その際、一番下の前後フレーム１４ａ，１４ａが奥に向かって横方向の間隔が狭く構成されていることで、これらの前後フレーム１４ａ，１４ａの外側面が、キャビネットの収納部の内側面に対してガイドとして作用することになり、ダストボックスワゴン１０が円滑にキャビネットの収納部内に収容されることができる。
【００２３】
ここで、本実施形態によるダストボックスワゴン１０は、そのダストボックスＤを上下方向に関して支持する底部支持フレーム１５の中央部１５ａが、キャスター２０よりも低い位置となるように配置されていることで、各ダストボックスＤの底面が、床面に接近した比較的低い位置で保持される。これにより、ダストボックスＤの上端そしてダストボックスワゴン１０の上端が比較的低く配置されることができ、ダストボックスワゴン１０の全高が低くなる。
【００２４】
従って、ダストボックスワゴン１０の全体の重心がより低くなるので、例えば各ダストボックスＤ内に互いにアンバランスにゴミが投入されている場合でも、ダストボックスワゴン１０を安定して移動することができる。また、ダストボックスワゴンの収納空間が比較的低い家電収納キャビネットであっても、ダストボックスワゴン１０を収納することが可能になる。
【００２５】
本発明はその趣旨を逸脱しない範囲において様々な形態で実施できる。上述した実施形態においては、ワゴンフレーム１１内に三つのダストボックスＤが収容されるようになっているが、これに限らず、例えば中央のダストボックスＤの代わりに、網カゴが収容されあるいは固定保持されていてもよい。
【００２６】
また、上述した実施形態においては、ダストボックスワゴン１０の全幅が、例えばキャビネットの間口７５０ｍｍに合うように選定されているが、全幅はこの数値に限定されるものではなく、例えば間口６００ｍｍや９００ｍｍのキャビネットに合うように選定されていてもよい。この場合、ワゴンフレーム１１内に三つのダストボックスＤが入り切れなかったり、ワゴンフレーム１１内に隙間ができたりすることがあるが、左右方向の寸法は、底部支持フレーム１５の垂直部分１５ａの左右方向の位置を適宜に選定することで調整できる。これにより、例えば二つのダストボックスＤがワゴンフレーム１１内にて適正に位置決めされる。なお、ワゴンフレーム１１内の隙間に、例えば網カゴ等が収容され、あるいは固定保持されるようにしてもよい。
【００２７】
さらに、上述した実施形態においては、ダストボックスワゴン１０は、前面にワゴンフレーム１１のコ字状フレーム１２が露出しているが、これに限らず、例えば図３にて鎖線で示すように、前面にハンドル１６ａを備えた化粧パネル等の面材１６が取り付けられていてもよい。この場合、面材１６として、このダストボックスワゴン１０のための収納部を備えたキャビネットの他の面材と同じものを使用することによって、ダストボックスワゴン１０をキャビネットの収納部に収納したとき、キャビネット全体で面材の統一感が得られ、見栄えが向上する。
【００２８】
また、上述した実施形態においては、一番下の前後フレーム１４ａは、後方に向かって互いに接近するように斜めに真っ直ぐ延びているが、これに限らず、外側に向かって凸状に湾曲して延びていてもよい。
【図面の簡単な説明】
【００２９】
【図１】本発明の一実施形態に係るダストボックスワゴンの構成例を示す平面図である。
【図２】図１のダストボックスワゴンを示す正面図である。
【図３】図１のダストボックスワゴンを示す右側面図である。
【図４】図１のダストボックスワゴンにおけるワゴンフレームの斜視図である。
【符号の説明】
【００３０】
１０    ダストボックスワゴン
１１    ワゴンフレーム
１２    コ字状フレーム
１３    左右フレーム
１４    前後フレーム
１４ａ  一番下の前後フレーム
１５    底部支持フレーム
１５ａ  中央部
１５ｂ  垂直部分
Ｄ      ダストボックス
【図１】
2008029643.tif 000003
【図２】
2008029643.tif 000004
【図３】
2008029643.tif 000005
【図４】
2008029643.tif 000006